(57)【要約】      （修正有）【課題】使用者が居る寝台や椅子のほぼ一定の場所に存在させて使用者が必要なときに片手に握って持つことができ、その手の置く位置を安定化させることや手の運動による療養的効果を得ることを補助することができる療養補助具を提供する。【解決手段】療養補助具１は、使用者の片手に握って持たれる握り部２と、使用者が居る寝台又は椅子の一部分への取り付けを行う取付け部３と、握り部２と取付け部３の間を連結する連結部４とを有する。連結部４は、握り部２と取付け部３の間の距離が可変するよう自動巻取り具４２に巻かれた紐４１で少なくとも構成されている。【選択図】図１
0003186776.tif 000002
【実用新案登録請求の範囲】
【請求項１】
使用者の片手に握って持たれる握り部と、使用者が居る寝台又は椅子の一部分への取り付けを行う取付け部と、前記握り部と前記取付け部の間を連結する連結部とを有し、
前記連結部が、前記握り部と前記取付け部の間の距離が可変するよう自動巻取り具に巻かれた紐で少なくとも構成されていることを特徴とする療養補助具。
【請求項２】
前記連結部が、一端を前記握り部に連結させる一定の長さからなる連結部材と、前記連結部材の他端と前記取付け部との間を連結する前記自動巻取り具に巻かれた紐とで構成されている請求項１に記載の療養補助具。
【請求項３】
前記握り部が、弾性変形する球状物と、前記球状物を出し入れ自在に収容する収容袋とで構成されている請求項１又は２に記載の療養補助具。
【請求項４】
前記取付け部が、前記連結部に装着し続ける一端部と、前記寝台又は椅子の一部分に取り付ける状態にしてから前記連結部に着脱自在に装着し得る他端部とを有する部材で構成されている請求項１又は２に記載の療養補助具。
【請求項５】
前記連結部における自動巻取り具は、前記握り部の重力を受けただけでは紐が引き出されない性能を有している請求項１又は２に記載の療養補助具。
【請求項６】
前記取付け部により寝台又は椅子の一部分に取り付けられているとともに前記連結部の紐が前記自動巻取り具から引き出されていない状態にあるときの全長が、前記寝台又は椅子の一部分の床面からの高さよりも短い寸法に設定されている請求項１〜５のいずれかに記載の療養補助具。
【考案の詳細な説明】
【技術分野】
【０００１】
この考案は、ベッド等の寝台に寝ている人や車いす等の椅子に座っている人などが片手に握り持ち、その手の置く位置の安定化や手の運動による医療的効果を得ることを補助するために使用する療養補助具に関するものである。
【背景技術】
【０００２】
従来においては、例えば、指に嵌装する環状の指装着部と、その指装着部に接続される略立方体で球状の柔軟性素材を内部に収容した手のひらの中で軽く握れる程度の容積の把持部とからなる握りクッションが知られている（特許文献１）。この握りクッションは、睡眠時または精神をリラックスするために指に装着するものであり、特に無意識の状態で手のひらから離れないように継続的に指に装着させておく適度な大きさと硬度をもつものとして提案されている。
【０００３】
また、通気性を備えた表皮部材と、その表皮部材に充填された削り屑もしくはチップとを有し、寝たきりの人が掴みやすい形状及びサイズに形成されている寝たきりの人用の握り具も知られている（特許文献２）。この握り具は、寝たきりの人が手で引っ掻いて自身の体に傷をつけたり、病人が点滴を抜き取ったりするのを防止したり、また寝たきりの人等が握力の維持・増強を図るために用いるものとして提案されている。
【先行技術文献】
【特許文献】
【０００４】
【特許文献１】特開２０１０−６３５６３号公報
【特許文献２】実用新案登録第３１６４９０７号公報
【考案の概要】
【考案が解決しようとする課題】
【０００５】
この考案は、使用者が居る寝台や椅子のほぼ一定の場所に存在させて使用者が必要なときに片手に握って持つことができ、その手の置く位置を安定化させることや手の運動による療養的効果（上肢等の機能回復やその機能維持など）を得ることを補助することができる療養補助具を提供するものである。
【課題を解決するための手段】
【０００６】
この考案（Ａ１）の療養補助具は、使用者の片手に握って持たれる握り部と、使用者が居る寝台又は椅子の一部分への取り付けを行う取付け部と、前記握り部と前記取付け部の間を連結する連結部とを有し、前記連結部が、前記握り部と前記取付け部の間の距離が可変するよう自動巻取り具に巻かれた紐で少なくとも構成されていることを特徴とするのである。
【０００７】
この考案（Ａ２）の療養補助具は、上記考案Ａ１の療養補助具において、前記連結部が、一端を前記握り部に連結させる一定の長さからなる連結部材と、前記連結部材の他端と前記取付け部との間を連結する前記自動巻取り具に巻かれた紐とで構成されているものである。
【０００８】
この考案（Ａ３）の療養補助具は、上記考案Ａ１又はＡ２の療養補助具において、前記握り部が、弾性変形する球状物と、前記球状物を出し入れ自在に収容する収容袋とで構成されているものである。
【０００９】
この考案（Ａ４）の療養補助具は、上記考案Ａ１又はＡ２の療養補助具において、前記取付け部が、前記連結部に装着し続ける一端部と、前記寝台又は椅子の一部分に取り付ける状態にしてから前記連結部に着脱自在に装着し得る他端部とを有する部材で構成されているものである。
【００１０】
この考案（Ａ５）の療養補助具は、上記考案Ａ１又はＡ２の療養補助具において、前記連結部における自動巻取り具は、前記握り部の重力を受けただけでは紐が引き出されない性能を有しているものである。
【００１１】
この考案（Ａ６）の療養補助具は、上記考案Ａ１からＡ５のいずれかの療養補助具において、前記取付け部により寝台又は椅子の一部分に取り付けられているとともに前記連結部の紐が前記自動巻取り具から引き出されていない状態にあるときの全長が、前記寝台又は椅子の一部分の床面からの高さよりも短い寸法に設定されているものである。
【考案の効果】
【００１２】
上記考案Ａ１の療養補助具によれば、使用者が居る寝台や椅子のほぼ一定の場所に存在させて使用者が必要なときに片手に握って持つことができ、その手の置く位置を安定化させることや手の運動による療養的効果（上肢等の機能回復やその機能維持など）を得ることを補助することができる。
【００１３】
上記考案Ａ２の療養補助具では、上記考案Ａ１による効果が得られることに加えて、特に握り部を、使用者が居る寝台や椅子の所望となる一定の場所に存在させることができ、その使い易さが向上する。
【００１４】
上記考案Ａ３の療養補助具では、上記考案Ａ１又はＡ２による効果が得られることに加えて、握り部を簡易に構成することができ、しかも握り部のサイズや硬さを変更することや、収容袋を洗浄して握り部を衛生に保つこともできる。
【００１５】
上記考案Ａ４の療養補助具では、上記考案Ａ１又はＡ２による効果が得られることに加えて、取付け部を簡易に構成することができ、しかも寝台又は椅子の一部分に対する取付け部の着脱を容易に行うこともできる。
【００１６】
上記考案Ａ５の療養補助具では、上記考案Ａ１又はＡ２による効果が得られることに加えて、握り部が寝台又は椅子の外側に飛び出て垂れ下がる状態になることがあったとしても、連結部の紐が自動巻取り具から引き出されることがないので、例えば、その状態になったときに紐が自動巻取り具から引き出されてしまうことにより、握り部が寝台又は椅子の周囲にある物に接触することや床面に落ちてしまうことが防止される。
【００１７】
上記考案Ａ６の療養補助具では、上記考案Ａ１からＡ５のいずれかによる効果が得られることに加えて、療養補助具の全体が寝台又は椅子の外側に飛び出て垂れ下がる状態になることがあったとしても、握り部が床面に接触するおそれがなく、握り部を衛生に保つことができる。
【図面の簡単な説明】
【００１８】
【図１】実施の形態１に係る療養補助具を示す斜視図である。
【図２】図１の療養補助具の使用例を示す概略説明図である。
【図３】図１の療養補助具の使用時の一状態（取付け部の一端部を開放し、連結部の紐を引き出さない状態）を示す斜視図である。
【図４】図１の療養補助具の使用時における他の状態（取付け部を寝台の一部分に取付け、連結部の紐を引き出した状態）を示す斜視図である。
【図５】（ａ）は図１の療養補助具における握り部の収容袋を示す斜視図、（ｂ）は（ａ）の収容袋に収容されている球状物を示す斜視図である。
【図６】（ａ）は図１の療養補助具における連結部の１つの状態（紐を引き出さない状態）を示す斜視図、（ｂ）は（ａ）の連結部の他の状態（紐を引き出した状態）を示す斜視図である。
【図７】図１の療養補助具の未使用時における１つの状態を示す概略説明図である。
【考案を実施するための形態】
【００１９】
以下、この考案を実施するための形態（以下「実施の形態」という）について図面を参照しながら説明する。
【００２０】
［実施の形態１］
図１〜図４は、実施の形態１に係る療養補助具１を示すものである。このうち図１はその療養補助具１の全体構成を示し、図２はその療養補助具１の使用例を示し、図３はその療養補助具１の使用時における一状態を示し、図４はその療養補助具１の使用時における他の状態を示している。
【００２１】
療養補助具１は、図１、図２等に示されるように、それを使用する使用者８の片手に握って持たれる握り部２と、その使用者が居る寝台９０の一部分への取り付けを行うための取付け部３と、その握り部２と取付け部３の間を連結するための連結部４とを有するものである。
【００２２】
実施の形態１では、上記使用者８として、図２に示されるように療養中に寝台９０の一例であるベッド（９０）に寝ている人を想定している。また、寝台（ベッド）９０の一部分としては、図２に示されるようにベッド９０の側柵９２を設定している。一方、図２において符号８１は使用者８の頭部、符号８２は肩部、符号８３は一方の手（例えば右手）、符号８４は他方の手（例えば左手）を示している。また、図２において符号９１はベッド９０の脚部、符号９２は側柵、符号９３は枕、符号９４は掛け寝具を示している。
【００２３】
そして、この療養補助具１は、図１、図３、図４等に示されるように、その連結部４が、一端を握り部２に連結させる一定の長さＬ１からなる連結部材４３と、連結部材４３の他端と取付け部３との間を連結させ且つ握り部２と取付け部３の間の距離（Ｓ）を可変させるよう自動巻取り具４２に巻かれた紐４１とで構成されているものである。
【００２４】
はじめに、療養補助具１における握り部２は、図１、図５等に示されるように、弾性変形する球体又はそれに近い形状の球状物２１と、その球状物２１を出し入れ自在に収容することができる収容袋２２とで構成されている。
【００２５】
握り部２の球状物２１は、使用者８が握り部２（収容袋２２を含む）をその片手（８３）に握って持ち続けることができる程度の寸法や形状からなるものである。また、球状物２１は、握って持ち続けやすい程度の適度な硬さを有するものでもある。実施の形態１における球状物２１としては、例えば、ゴム、スポンジ等の弾性材料を用いて球状に成形した直径が５〜７ｃｍ程度のボールを採用している。
【００２６】
握り部２の収容袋２２は、球状物２１を出し入れ自在に収容できる構造のものである。また、収容袋２２は、連結部４（実際にはその連結部材４３の他端部）に着脱自在に取り付けることができる構成のものでもある。実施の形態１における収容袋２２としては、図５等に示されるように、布を用いて上部に開口部２３がある袋形状に縫製し、その開口部２３の縁の対向する部分に連結部４との接続手段としてのリング２５，２５を設けたものを用いている。リング２５は、例えば、開口部２３の縁部分に形成した環状の止め部分２２ａ，２３ｂに引っ掛けるよう通した状態で取り付けている。この収容袋２２における開口部２３は、連結部４に取り付けたときに２つのリング２５，２５が環状の止め部分２２ａ，２３ｂと共に接近した状態になって開口部２３を一部塞ぐ状態に保たれ、これにより収容袋２２の内部に収容されている球状物２２が外に出ることがない構成になっている（図１、図３等を参照）。
【００２７】
次に、療養補助具１における取付け部３は、図１、図３、図４等に示されるように、所要の長さからなる帯状の本体部材３１で構成されている。
【００２８】
この本体部材３１は、その一端部３１ａが連結部４（実際には自動巻取り具４３）に装着し続ける端部として構成され、その長手方向の反対側になる他端部３１ｂが連結部４に着脱自在に装着することができる端部として構成されている。本体部材３１は、取付け部３の取付け対象物となるベッド９０の側柵９２への取り付けを行うことが可能な部材であればよい。
【００２９】
実施の形態１における本体部材３１としては、例えばベッド９０の側柵への取り付けに必要な長さと所要の幅を有する布製の部材を用いている。また、実施の形態１における本体部材３１は、その一端部３１ａが、連結部４との接続手段としてのリング３５を取り付けた端部として構成されており、そのリング３５を連結部４の装着部分（実際には自動巻取り具４３のフック部４５）に常時装着させるようようになっている。一方、本体部材３１は、その他端部３１ｂが、連結部４との接続手段としてのスナップフック３６を取り付けた端部として構成されており、そのリング３５を連結部４の装着部分（実際には自動巻取り具４３のフック部４５）に着脱自在に装着させるようになっている。
【００３０】
ちなみに、スナップフック３６は、例えば、ドロップ形状のフック環状部３６ａを有し、そのフック環状部３６ａの一部分（スナップ部）３６ｂをフック環状部３６ａの内側の空間にスプリングの弾性力に抗して傾倒させた状態に一時的にすることが可能な構造にした公知のものである。そして、このスナップフック３６は、そのスナップ部３６ｂをフック環状部３６ａに対して傾倒させて隙間を一時的に形成した状態にすることにより、そのフック環状部３６ａの取り付け対象物（本例では連結部４の装着部分）との着脱作業を容易にできるようになっている。
【００３１】
次に、療養補助具１における連結部４は、図１、図３、図４、図６等に示されるように、前述した自動巻取り具４２に巻かれた紐４１と前述した連結部材４３とで構成されている。
【００３２】
紐４１を巻いた自動巻取り具４２は、一般に、巻取りリールとも呼ばれているものである。この自動巻取り具４２は、例えば、空洞構造からなる円盤状の本体ケース４３の内部に、ゼンマイばねで回転が制御される図示しない巻取り体を配置し、その巻取り体に紐４１を必要の長さだけ巻き付けて収容するとともに、その紐４１の引き出し端部４１ａを本体ケース４３の一部に設けた紐出入り口４４から引き出した状態にしたものである。また、この自動巻取り具４２は、紐４１の引き出し端部４１ａを本体ケース４３内から引き出す作業をすると、その引き出し量（長さ）に応じて巻取り体が回転してゼンマイばねが巻かれて縮んだ状態になり、反対に、その紐４１の引き出し作業を止めると、ゼンマイばねのばね力（復元力）により巻取り体が巻き取り方向に回転させられて紐４１を本体ケース４３の内部に引き込んで巻き取る状態になる。さらに、この自動巻取り具４２では、本体ケース４３の紐出入り口４４とは反対側となる部分に、取付け部３との接続手段としてのアーチ状のフック部４５が設けられている。フック部４５は、例えば、前記スナップフック３６に似たスナップ構造にすることができる。
【００３３】
紐４１は、自動巻取り具４２への巻取りが可能であり、また握り部２と取付け部３との間を連結するために必要な強度を有するものである。紐４１の引き出し端部４１ａは、紐出入り口４４からケース外に突出した状態に保たれている。また、紐４１の引き出し端部４１ａには、後述するリング４８を通過させることができる貫通孔が形成されてなる、連結部材４３との接続手段としての末端固定具４６が取り付けられている。
【００３４】
自動巻取り具４２に巻かれた紐４１は、引き出す力が与えられないときには、図６ａに示されるように、自動巻取り具４２に巻き取られたままで本体ケース４３の紐出入り口４４から引き出されない。一方、紐４１は、引き出す力が与え続けられたときには、図６ｂに示されるように、自動巻取り具４２の本体ケース４３における紐出入り口４４から最大の長さＥmax（例えば１ｍ程度）だけ引き出される。また、紐４１は、その引き出す力を途中で止めたときには、図４に例示されるように、その与えた力（時間）に対応した長さＥｎ（＜Ｅmax）だけ引き出される。
【００３５】
連結部材４３は、一定の長さＬ１を有する部材である。この連結部材４３の長さＬ１は、例えば、療養補助具１をベッド９０の側柵９２に取り付けたときに握り部２の存在させておきたい位置に握り部２を置いておくことができる長さ（握り部２の側柵９２からの離間距離）を目安に設定される。実施の形態１における連結部材４３としては、例えば所要の幅を有する布製の部材を用いている。また、この連結部材４３の長さＬ１は、握り部２の取付け部３との間の距離Ｓとして最低限要求される長さに設定されている。さらに、この連結部材４３は、握り部２に連結させる側の一端部４３ａに、握り部２との接続手段としてのスナップフック４７が取り付けられている。また、連結部材４３は、自動巻取り具４２に巻かれた紐４１の引き出し端部４１ａと連結させる他端部４３ｂに、紐４１との接続手段としてのリング４８が取り付けられている。スナップフック４７としては、例えば、取付け部３の本体部材３１における前記スナップフック３６と同じ種類のものが使用される。
【００３６】
実施の形態１における連結部４は、図６等に示されるように、自動巻取り具４２に巻かれた紐４１と連結部材４３とを、接続手段としてのリング４８を介して接続（連結）することにより構成されている。リング４８は、その一部が、紐４１の引き出し端部４１ａにおける末端固定具４６の貫通孔に通した状態で取り付けられる。
【００３７】
療養補助具１は、例えば、次のようにして組み立てられる。
【００３８】
まず、収容袋２２に球状体２１を収容することにより握り部２を組み立る。続いて、握り部２の収容袋２２におけるリング２５に対し、連結部４における連結部材４３の一端部４３ａにあるスナップフック４７を引っ掛けることにより、連結部４の一端側を握り部２に連結させる。また、取付け部３の本体部材３１の一端部３１ａにあるリング３５を、連結部４における自動巻取り具４２のフック部４５に取り付けることにより、連結部４の他端側を取付け部３に連結させる。
【００３９】
以上により、図１や図３等に示されるように、握り部２と取付け部３が、自動巻取り具４２に巻かれた紐４１と連結部材４３とで構成される連結部４によって連結された形態の療養補助具１が完成する。
【００４０】
また、この療養補助具１は、例えば、以下のようにして使用される。
【００４１】
はじめに、療養補助具１を使用場所となるベッド９０の側柵９２に取り付ける。療養補助具１の取り付けは、図２、図３等に示されるように、取付け部３の本体部材３１を側柵９２の一部に引っ掛けるよう一巡させた後に、本体部材３１の他端部３１ｂにあるスナップフック３６を連結部４における自動巻取り具４２のフック部４５に引っ掛けるよう取り付けることで行われる。
【００４２】
ベッド９０の側柵９２に取り付けられた療養補助具１は、連結部４の長さ（主に連結部材４３の長さＬ１）で規制される範囲内であれば、例えば、その握り部２を、ベッド９０に横たわる人（使用者）８の片手（例えば右手）８３で掴みやすいような位置（ベッド９０又はその掛け寝具９４の該当する部分の上）に自由に置いた状態にできる。この際、握り部２は、連結部４及び取付け部３を介してベッド９０の側柵９２に取り付けられている構造であるため、ほぼ一定の位置に置いておくことが可能であり、また、簡単に紛失するおそれがない。
【００４３】
次に、療養補助具１は、図２に示されるように、そのベッド９０に横たわる使用者８が片手８３で療養補助具１における握り部２を握って持つことで使用される。
【００４４】
この際、使用者８は、その片手８３に療養補助具１の握り具２を握り持つことで、その片手８３の置き場所がほぼ定まって安定する。従って、療養補助具１は、このようにを使用することにより、使用者８の片手８３の位置を安定化させることを補助することができる。この場合は、例えば、使用者８の治療、看護等の療養作業をベッド９０上で行う際に、その作業者の作業が使用者８の片手８３の位置の変動により妨げられることが抑制され、その作業を円滑に行うことができる等の利点もある。
【００４５】
また、使用者８は、その片手８３に握り持った握り部２（厳密には収容袋２２に収容されている球状体２１）を例えば強く握り締めることと軽く握ることを繰り返すことにより片手８３の運動を行うことが可能になる。しかも、この療養補助具１では、図３、図４等に例示するように連結部４における自動巻取り具４２に巻かれた紐４１を引き出せば握り部２と取付け部３の間の距離Ｓが伸びて可変する（すなわち、基本的な距離Ｓｏから紐４１を引き出した長さＥｎだけ延びた距離Ｓｎに増加する）。このため、使用者８は、例えば、図２に二点鎖線で示されるように、握り部２を持ったままで片手８３の置く位置を自由にずらすことができる。
【００４６】
このように使用者８は、その握り部２を持った手の腕などを連結部４の伸縮を利用しながら動かすことを繰り返すことにより、片手８３やその腕、肩等の運動を行うことも可能になる。さらに、このように療養補助具１を使って手や腕等を動かすことでその手や腕等の上肢等の機能の回復やその機能の維持を図ることが期待でき、また、その手や腕等の運動を行うことにより脳への刺激になったりその刺激の促進を図ることも期待でき、この結果、例えばリハビリテーションの一助にもなる。従って、療養補助具１は、このように使用することにより、使用者８４が片手８３の運動による療養的効果を得ることを補助することもできる。
【００４７】
また、この療養補助具１は、連結部４の伸縮機能を利用して使用者８が握り部２を持つ片手８３を最初の位置に戻すときには、連結部４における紐４１が自動巻取り具２で巻き取られるので、紐４１などが引っ掛かって邪魔になることもなく、その片手８３を握り部２と共にスムーズに元の位置にずらすこと（戻すこと）もできる。さらに、療養補助具１は、使用者８が握り部２を握ったままの片手８３を、その最初の位置（例えば図２の実線で示す片手８３のある位置）とその位置とは異なるずらす先の位置（例えば図２の二点鎖線で示す片手８３のある位置）との間において連結部４で妨げられることもなく円滑に往復させることができ、これによっても片手８３の運動による療養的効果を有効に得られるようになる。
【００４８】
さらに、この療養補助具１は、取付け部３の着脱操作により、その取り付けて使用する場所を簡単に変更することもできる。また、療養補助具１は、仮に握り部２の収容袋２２が汚れた場合、その収容袋２２を連結部４から容易に取り外した後に（球状体２１を出してから）洗濯することができ、使用者８が触れる握り部２を衛生に保つことができる。さらに、療養補助具１は、握り部２における収容袋２２に収容する球状体２１を簡単に出し入れすることができるので、球状体２１を新品に交換したり、あるいは他の種類の球状体に変更することも可能である。他の種類の球状体とは、その形状、サイズ、硬さ等の条件の少なくとも１つが、収容袋２２に収容されていた交換前の球状体のそれと異なるものである。
【００４９】
この他、この療養補助具１は、使用する必要がないときに、例えば図７に例示するように、ベッド９０の側柵９２に取付け部３を介して取り付けた状態のままで一時的に側柵９２の外側に吊り下げた状態にすることができる。これにより、療養補助具１は、ベッド９０のメイク作業が清掃作業を行う際の邪魔になることがなく、また、そのような作業のなかで紛失してしまうこともない。
【００５０】
この場合、療養補助具１が、連結部４における自動巻取り具４２として、握り部２の重力（厳密には連結部４の連結部材４３の重力も含まれる）を受けただけでは紐４１が引き出されない性能を有しているものを適用しているときには、その握り部２がベッド９０の外側に飛び出て垂れ下がる状態になることがあったとしても、連結部４の紐４１が自動巻取り具４２から引き出されることがない。これにより、例えば、握り部２が上記した状態になったときに紐４１が自動巻取り具４２から引き出されてしまう場合のように、握り部２がベッド９０の周囲にある物（例えば治療器具や清掃道具など）に接触することや床面に落ちてしまうことが防止される。
【００５１】
また、この場合、療養補助具１が、取付け部３によりベッド９０の側柵９２に取り付けられているとともに連結部４の紐４１が自動巻取り具４２から引き出されていない状態にあるときの全長Ｄ（図１）について、ベッド９０の側柵９２の床面１００からの高さＨよりも短い寸法（Ｄ＜Ｈ）に設定されているときには、療養補助具１の全体がベッド９０の側柵９２の外側に飛び出て垂れ下がる状態になることがあったとしても、握り部２が床面１００に接触するおそれがなく、握り部２を衛生に保つことができる。
【００５２】
［他の実施の形態］
なお、療養補助具１は、連結部４として、自動巻取り具４２に巻かれた紐４１のみで構成されているもの（連結部材４３を含まないもの）を適用しても構わない。また、握り部２は、使用者が片手で握り持つことが可能であれば、その構造や形状等の条件については実施の形態１の構成に何ら限定されない。例えば、握り部２としては、その全体の形状が球形状以外の形状のものを適用してもよい。さらに、取付け部３についても、使用場所の寝台等の一部分への取り付けが可能なものであれば、その構成については実施の形態１で例示した構成に限定されない。
【００５３】
また、療養補助具１は、ベッド９０等の寝台の他に、使用者が療養中などに座る車いす等の椅子の一部分に取り付けて使用してもよい。寝台や椅子は、病院や療養所などで専門的な場所で使用されるものに限らず、一般家庭などの他の場所で使用使用されるものであっても構わない。また、療養補助具１（の取付け部３）の取り付け対象となる寝台、いす等における取り付け位置については、特に限定されるものでなく、療養補助具１の使用者が使いやすさ等の観点から選ぶ所要の位置であればよい。
【符号の説明】
【００５４】
１  …療養補助具
２  …握り部
３  …取付け部
４  …連結部
２１…球状物
２２…収容袋
３１…本体部材（部材）
３１ａ…一端部
３１ｂ…他端部
４１…紐
４２…自動巻取り具
４３…連結部材
８３…片手
９０…ベッド（寝台）
９２…側柵（寝台の一部分）
１００…床面
Ｓ  …距離（握り部と取付け部の間の距離）
Ｄ  …全長（療養補助具の全長）
Ｈ  …高さ（寝台の一部分の床面からの高さ）
【図１】
0003186776.tif 000003
【図２】
0003186776.tif 000004
【図３】
0003186776.tif 000005
【図４】
0003186776.tif 000006
【図５】
0003186776.tif 000007
【図６】
0003186776.tif 000008
【図７】
0003186776.tif 000009